(57)【要約】【課題】自由な生地の選択を可能とし、美術品的価値を有し、様々なコーディネートが可能であるとともに、本来必要な保温性を大きく高めたティーコゼーを提供する。【解決手段】本考案に係るティーコゼーは、ティーカップを上部から覆う形状を有するコージーと、当該コージーの上部に設けられた取付け具と、当該取付け具により上記コージーの上部に取り付けられた人形と、上記人形に挿入され、上記コージーを覆う衣装とを有することを特徴とするものである。【選択図】図７
0003187567.tif 000002
【実用新案登録請求の範囲】
【請求項１】
ティーポットを上部から覆う形状を有するコージーと、
当該コージーの上部に設けられた取付け具と、
当該取付け具により上記コージーの上部に取り付けられた人形と、
上記人形に挿入され、上記コージーを覆う衣装と、
を有することを特徴とするティーコゼー。
【請求項２】
上記人形は、人あるいは動物の上半身を模った人形である
ことを特徴とする請求項１に記載のティーコゼー。
【請求項３】
上記人形は、上端から下端の途中に至る部分は略末広がりの形状であり、且つ下端の途中から下端に至る部分は上記略末広がりの形状の最も広がった部分よりも狭い形状である
ことを特徴とする請求項１または２に記載のティーコゼー。
【請求項４】
上記衣装は、人が下半身に纏う衣類を模ったものである。
ことを特徴とする請求項２または３に記載のティーコゼー。
【請求項５】
上記衣装は、複数の異なる衣装を組み合わせたものである
ことを特徴とする請求項１から４のいずれか１項に記載のティーコゼー。
【考案の詳細な説明】
【技術分野】
【０００１】
本考案は、お茶が冷めないようにティーポットにかぶせるティーコゼーに関するものであり、特に、保温性を高めるとともに、多様な美しいデザインを楽しむことを実現したティーコゼーに関するものである。
【背景技術】
【０００２】
従来より、英国においてはアフタヌーンティーを楽しむ習慣があったが、日本においても、友人や家族とともに、紅茶を飲みながら会話を弾ませる風景が普通に見られるようになった。
こういったティータイムには、ティーポットに保温カバーをかぶせ、紅茶が冷めないようにするとともに、カバー自体のデザインを楽しむことで、優雅な雰囲気を演出することも行われている。
【０００３】
このようなティーポットにかぶせる保温カバーは、ティーコゼーと呼ばれている。あるいは、ティーコージー（ｔｅａ  ｃｏｚｙ）と呼ばれることもある。
素敵なティータイムを演出するこの小道具は、特に女性の間で人気があり、シーンに合せて様々なティーコゼーを使い分けることで、演出効果を一段と高めることができる。
【０００４】
また、デザインではなく、香りを楽しむために香草を材料としたティーコゼーも提案されている（例えば、特許文献１、特に図５）。
【先行技術文献】
【特許文献】
【０００５】
【特許文献１】登録実用新案第３０８３４２２号公報
【考案の概要】
【考案が解決しようとする課題】
【０００６】
上述したように、様々なデザインのティーコゼーを使い分けることで、演出効果を高めることが可能である。しかし、シチュエーションやＴＰＯに応じてティーコゼーを選ぶためには、あるいは、シチュエーションやＴＰＯに応じたティーカップやティーウエアを準備し、それらのデザインや色と調和したティーコゼーを選ぶためには、非常にたくさんの種類のティーコゼーを保有しておくことが必要であった。
さらに、ティーコゼーには保温性という本来の目的を達成する必要があり、また、ティーコゼーの内側は茶渋等により汚れやすいため、水洗いが可能であることも必要である。このため、ティーコゼーとして使用できる生地はコットン等に限られ、自由に生地を選び、自由なデザインを得ることができなかった。
【０００７】
また、特許文献１に開示されたティーコゼーは、豊かな香りが得られるものの、デザインや保温性という観点からは、十分に満足できるものではなかった。
【課題を解決するための手段】
【０００８】
本考案に係るティーコゼーは、ティーポットを上部から覆う形状を有するコージーと、当該コージーの上部に設けられた取付け具と、当該取付け具により上記コージーの上部に取り付けられた人形と、上記人形に挿入され、上記コージーを覆う衣装とを有することを特徴とする。
【０００９】
また、本考案に係るティーコゼーは、上記人形が、人あるいは動物の上半身を模った人形であることを特徴とする。
【００１０】
本考案に係るティーコゼーは、上記人形が、上端から下端の途中に至る部分は略末広がりの形状であり、且つ下端の途中から下端に至る部分は上記末広がりの形状の最も広がった部分よりも狭い形状であることを特徴とする。
【００１１】
また、本考案に係るティーコゼーは、上記衣装が、人が下半身に纏う衣類を模ったものであることを特徴とする。
【考案の効果】
【００１２】
本考案に係るティーコゼーは前記のごとく構成されているので、様々な生地を用いて衣装を作製することが可能であり、洗練された豪華なデザインの衣装を自由に実現できる。そして、衣装を取付けた状態では上品な人形としか見えず、このティーコゼーを取り外して、ティーポットから紅茶を注げば、その意外性はティータイムを一層盛り上げる効果を有する。
このように、本考案に係るティーコゼーは高い美術的、工芸的価値を有するとともに、ティータイムを盛り上げる意外性という別の効果もある。それだけではなく、ティーコゼー本来の目的である保温性を大きく高めることも実現できる。
さらに、人形と衣装の組み合わせを変えることで様々なコーディネートが実現できるため、比較的少ない衣装の数であっても、シチュエーションやＴＰＯに応じて最適なティーコゼーをコーディネートできる。
【図面の簡単な説明】
【００１３】
【図１】本考案に係るティーコゼーの構成を説明するための図であり、コージーに人形を取付けた際の正面図である。
【図２】本考案に係るティーコゼーの構成を説明するための図であり、コージーに人形を取付けた際の部分拡大斜視図である。
【図３】本考案に係るティーコゼーを構成する衣装の正面図である。
【図４】本考案に係るティーコゼーの組立て方法を説明するための図であり、衣装を人形に挿入する際の図である。
【図５】本考案に係るティーコゼーの組立て方法を説明するための図であり、衣装を人形に挿入後の図である。
【図６】本考案に係るティーコゼーを構成する別の衣装の正面図である。
【図７】本考案に係るティーコゼーの正面図である。
【図８】本考案に係るティーコゼーの側面図である。
【図９】本考案に係るティーコゼーの背面図である。
【考案を実施するための形態】
【００１４】
実施の形態．
以下に、本考案の実施の形態に係るティーコゼーについて、図を用いて説明する。尚、以下の実施の形態は、本考案の一例であって、特に本考案をこの一例に限定するものではない。例えば、本考案品およびその構成部品に関して材質や寸法等を開示するが、これらは本考案の良好な一例を示すにすぎない。
【００１５】
まず、本考案に係るティーコゼーの構成を明確化するために、その作製過程を順を追って説明する。
図１は、コージー１に人形２を取付けた際の正面図である。また、図２は、その部分拡大斜視図であり、人形２が取付け具３によって、コージー１に取り付けられている部分を拡大している。
【００１６】
コージー１は、ティーポットに直接被せる保温カバーであり、上部からティーポットに被せて、ティーポット全体を覆うことができる形状を有している。コージー１の材質としては、コットンが最も適している。コットンは熱伝導が比較的小さく、したがって保温性能が比較的高いので保温カバーとして用いることができる。また、水洗いしてもあまり型崩れしないため、茶渋等で汚れても、直ぐに家庭で洗濯することができる。
【００１７】
人形２はプラスチック等の樹脂の成型品でも良いが、陶器を用いた方が良い。陶器は表面が美しい光沢を持ち、また、鮮やかな色付けも可能である。見た目や触感も高級感があり、美術的価値を感じさせる。さらに経年劣化がほとんど無いため、その高級感がある品質を半永久的に保つことができる。
ここで人形２は、人の上半身を模った形状をしている。そして、図２のＡの点線で示すように、上端（髪の部分）から下部の途中（ひじの先）までは、下に向かって広がる末広がりの形状をしている。そして、Ｂの点線で示すように、下部の途中（ひじの先）より下の部分（ウエスト部分）は、キュッと締まった形状になっている。
なお、人形２は人を模ったものに限ることは無く、ウサギ等の動物であっても良いし、コミック等に登場するキャラクターであっても良い。
【００１８】
取付け具３は、ここでは４本の紐である。着脱を容易にするために、特に、スナップボタン付きの紐を用いている。１本は人形２の背中側にあり、図２においては見えない位置になっている。人形２の最下部に４つの穴が開けられ、４本の紐からなる取付け具３をこの穴に通し、ボタンを留めることで、人形２を直立した姿勢でコージー１の上部に着脱可能に固定できる。
なお、取付け具３の構成はこの構成に限るものでは無く、人形２をコージー１の上部に着脱可能に固定できる構成であれば、どのような構成であっても良い。例えば、人形２の下面とコージー１の上面に面ファスナーを取付けても良い。ただし、面ファスナーは布に擦れた時などに、糸ほこりが付着して付着力が劣化する場合もあり、そういった劣化が生じないスナップボタン付きの紐を本実施の形態では用いている。
【００１９】
次に、図１の状態から衣装を人形２に着せる過程について説明する。本実施の形態では、２つの衣装を着せる過程を例に取って説明するが、ひとつの衣装であっても良い。
図３は、最初に人形２に着せる第一の衣装４の正面図である。この第一の衣装４、および後述する第２の衣装５は、ドレスのスカートを模ったものである。、
【００２０】
第一の衣装４の最上部は、略円形の穴が設けられ、この穴はゴム紐等により、伸縮可能になっている。第一の衣装４を人形２に被せ、この穴に人形２を挿入していく。この状態を図４に示す。
さらに深く挿入し、第一の衣装４の最上部の穴が人形２のウエスト部分に達した状態を図５に示す。この状態では、穴が狭いウエスト部分にはまり込んでいるため、第一の衣装４は、簡単には動かせない安定な状態になっている。
【００２１】
次に、図５の状態から第二の衣装５を人形２に着せていく。図６は、第二の衣装５の正面図である。図６の上部中央に見えるように、この第二の衣装の最上部にも、第一の衣装４と同様に、略円形の穴が設けられている。
そして、第一の衣装４を人形２に着せたのと同様の方法で、第二の衣装５を人形に着せることで、本考案に係るティーコゼーが完成する。
【００２２】
図７から図９は、それぞれ、完成したティーコゼーの正面図、側面図、および背面図である。人形２の上半身の衣装形状と、第一及び第二の衣装４および５のデザインは、統一性が取れた美しいものとなっている。たとえば、ドレスを作製する際に、ネックやスリーブとスカートのデザインを統一させるのと同様に、全体的な統一感のあるデザインを作り出すことができる。このように、完成したティーコゼーの外観は、上品で洗練された人形であり、美術品あるいは工芸品としての価値を持つ物である。
なお、ティーポットにこのティーコゼーを被せると、ティーポットの全体をティーコゼーが覆うため、図７や図８と外観は変わらず、例えば、初めて招待した友人には人形としか見えない。
【００２３】
さて、本実施の形態においては、人形２と２つの衣装４および５を組み合わせたデザインは、貴婦人がドレスを上品に纏った様子を模ったものであるが、他のデザインであっても良い。上述したように、人に限らず動物等であっても良い。
【００２４】
また、衣装の数も２つに限るものでは無く、１つであっても良いし、３つ以上であっても良い。ただし、衣装の数が増えるほど、コーディネートの幅が広くなるので、多様なデザインを楽しむことができる。例えば、人形２に着せる衣装の数が第一から第三の衣装の３つであり、それぞれ、３色の色が異なる衣装を用意すれば、３の３乗、すなわち２７通りの色彩コーディネートを楽しむことができる。さらに、人形２に関しても複数用意すれば、より多様なコーディネートを楽しむことができる。
【００２５】
衣装を人形２に着せるために、衣装の最上部にゴム紐等により伸縮可能穴を設けたが、伸縮可能な穴に限らず、人の着衣のネック部分のように、ボタンやファスナー、あるいは面ファスナーを設けても良い。また、スカートをマントのような形状にして、上部を紐やボタン等で留めるようにしても良い。マントのような形状の場合には、人形２の頭から被せるのではなく、人形に巻きつけるようにして着せることができる。すなわち、人形２の腰部とピッタリ合うようにスカートを前に合わせて、後ろで紐を縛ったり、ボタンを留めることで、人形２に着せることができる。
【００２６】
最後に、本考案に係るティーコゼーが有する顕著な特長についてまとめる。
まず第一に、外観が美術的に価値を有するものであり、ティーコゼー本来の用途で使用しない際には、ティーラウンジを飾る装飾品として利用できる。また、色や模様が異なる複数の衣装を用意することで、様々なコーディネートを楽しむことが可能である。ティーコゼー本来の用途で使用する際には、シーンや使用するティーカップ等に合せて、最適なコーディネートを選択できる。特に複数の衣装を合せて人形に着せる場合には、少ない衣装の種類で数多くのコーディネートが可能となる。さらに、人形に関しても複数用意すれば、より多様なコーディネートを楽しむことができる。
【００２７】
第二に、ティーコゼー本来の用途で使用する場合においても、外観は上品な人形であるため、新たに招待した友人を驚かすことができる。親交が始まったばかりに友人で共通の話題が無い場合であっても、その後の会話を弾ませ、深い親交のきっかけとなる場合もあるであろう。
【００２８】
第三に、ティーコゼー本来の機能である保温性を著しく高めることができる。コージーの上に衣装を着せるため、いわゆる重ね着の効果が得られる。すなわち、コージーと衣装の間には空気層が存在し、断熱効果が大きくなる。
【００２９】
第四に、幅広い種類の生地を用いることができる。これにより、上述した第一及び第三の特長をさらに高めることができる。
具体的に述べると、従来のティーコゼーにおいては、茶渋等で汚れた際のことを考慮して、水洗いが可能な生地が使われてきた。例えば、コットンである。コットンは水洗い可能な一般的な生地の中では保温性が高いためである。
【００３０】
一方、本考案に係るティーコゼーの場合には、重ね着効果により高い保温性が得られるため、コージーとしては保温性が小さくても、汚れにくく、汚れた場合でも簡単に水洗いで汚れが落ちやすい生地を用いることができる。例えば、麻や合成繊維からも選択できる。
また、衣装の生地としては、水洗いによって型崩れを起こしやすい生地も用いることができるため、デザインする上での規制が無くなり、自由に豪華なデザインをすることができる。例えば、シルクやウール、カシミヤといった水洗いが難しい生地を使うことができる。ウールやカシミヤは、コットンに比較しても熱伝導率が著しく小さい生地であり、保温性を大きく向上できるという長所も生まれる。
【符号の説明】
【００３１】
１  コージー
２  人形
３  取付け具
４  第一の衣装
５  第二の衣装
【図１】
0003187567.tif 000003
【図２】
0003187567.tif 000004
【図３】
0003187567.tif 000005
【図４】
0003187567.tif 000006
【図５】
0003187567.tif 000007
【図６】
0003187567.tif 000008
【図７】
0003187567.tif 000009
【図８】
0003187567.tif 000010
【図９】
0003187567.tif 000011